(57)【特許請求の範囲】
【請求項１】
段ボール製の折り畳み台であって、
それぞれが長方形状に形成された複数の第１の仕切り板と複数の第２の仕切り板が噛合わされて平面視して格子状に配置された脚部と、該脚部の上面を覆う四角形状の天板とを有し、前記各第１の仕切り板の長手方向の途中に、該各第１の仕切り板の高さ方向に沿って奇数箇所の垂直折り目が形成され、前記天板に、前記各垂直折り目の位置に対応して前記第２の仕切り板と平行に水平折り目が形成されており、非使用時に、前記天板は前記各水平折り目で折り曲げられ、前記各第１の仕切り板は前記各垂直折り目で折り曲げられて前記各第２の仕切り板と重合し、全体が扁平状に折り畳まれることを特徴とする折り畳み台。
【請求項２】
請求項１記載の折り畳み台において、前記垂直折り目及び前記水平折り目はそれぞれ、前記各第１の仕切り板及び前記天板を二分割するように１箇所ずつ配置され、前記天板は、前記第１の仕切り板の長手方向の両端位置で前記天板の両端辺からそれぞれ下方に延設されて前記各第１の仕切り板の長手方向の両端部に保持される一対の差込み片を有し、非使用時に、前記天板は正面視して逆Ｖ字状に折り曲げられ、前記各第１の仕切り板は平面視して逆Ｖ字状に折り曲げられることを特徴とする折り畳み台。
【請求項３】
請求項１記載の折り畳み台において、前記垂直折り目及び前記水平折り目はそれぞれ、前記各第１の仕切り板及び前記天板を四分割するように３箇所ずつ配置され、前記天板は、前記第１の仕切り板の長手方向の両端位置で該天板の両端辺からそれぞれ下方に延設されて前記各第１の仕切り板の長手方向の両端部に保持される一対の差込み片を有し、非使用時に、前記天板は正面視してＭ字状に折り曲げられ、前記各第１の仕切り板は平面視してＭ字状に折り曲げられることを特徴とする折り畳み台。
【請求項４】
請求項３記載の折り畳み台において、前記天板は、３箇所の前記水平折り目のうち、中央の前記水平折り目の位置で２つの部分天板に分割され、該分割位置で前記各部分天板の端辺からそれぞれ下方に延設されて前記各第１の仕切り板の長手方向の中央部に保持される中央差込み片を有することを特徴とする折り畳み台。
【請求項５】
請求項２〜４のいずれか１記載の折り畳み台において、下端側が前記各第１の仕切り板及び前記各第２の仕切り板に保持され、上端側が使用時の前記天板の上面より上方に突出して、前記脚部の外周の三方を囲うように平面視してコ字型に配置された仕切り壁を有し、該仕切り壁のうち、前記第１の仕切り板の長手方向と平行に配置される壁板には、前記垂直折り目の位置に対応して前記仕切り壁の高さ方向に沿う折り目が形成され、非使用時に、前記仕切り壁が前記脚部と連動して前記折り目で折り曲げられて、平面視して逆Ｖ字状又はＭ字状に折り畳まれることを特徴とする折り畳み台。
【請求項６】
請求項５記載の折り畳み台において、前記天板及び／又は前記仕切り壁に切り欠き状若しくは孔状の手掛け部が形成され、前記第２の仕切り板の長手方向の一側及び／又は他側に孔状の指掛け部が形成されていることを特徴とする折り畳み台。
【請求項７】
請求項１〜６のいずれか１記載の折り畳み台において、使用時に、前記天板を前記脚部に固定する固定手段として、前記天板に、係止溝を有する係止片が折り曲げ可能に形成され、前記第２の仕切り板に、前記係止溝と噛合う切れ目が形成されていることを特徴とする折り畳み台。
【発明の詳細な説明】
【技術分野】
【０００１】
本発明は、極めて短時間で設置することができ、使用時以外は扁平状に折り畳んで簡単に持ち運び及び収納を行うことができる段ボール製の折り畳み台に関する。
【背景技術】
【０００２】
従来、災害等の発生により自宅で生活できなくなった被災者は、公民館や体育館等の避難所又は仮設住宅等で生活することがあるが、それぞれの被災者に割り当てられるスペースには限りがあると共に、そのような場所にベッドを搬入して設置することは困難である。そのため、被災者は、硬い床の上で、布団を敷いて寝たり、寝袋に入って寝たりしており、就寝中に苦痛を感じ易く、快眠が妨げられ、腰痛や睡眠不足等に悩まされるという問題があった。また、足腰が弱く、普段からベッドを使用して生活している高齢者等は、布団での寝起きが困難であるため、避難所又は仮設住宅等の使用に制限を受けるという問題もあった。そこで、段ボールで作製され、使用時以外はコンパクトに折り畳まれて収納され、持ち運びも容易な折り畳み式のベッド（例えば特許文献１）や、分解された状態で搬送され、必要な場所で組立てられて設置される様々な簡易（組立式）ベッド（例えば特許文献２〜５）が提案されている。
【先行技術文献】
【特許文献】
【０００３】
【特許文献１】特開２０２０−１８８８７７号公報
【特許文献２】実用新案登録第３２２９６６０号公報
【特許文献３】特開２０１２−２３５８１９号公報
【特許文献４】実用新案登録第３２０４２３６号公報
【特許文献５】特開２００９−５９０２号公報
【発明の概要】
【発明が解決しようとする課題】
【０００４】
特許文献１では、ベッドフレームを構成する左右一対の支持板と、両支持板の上縁部に載置された床板が、それぞれ蛇腹状に伸縮することにより折り畳まれ、ベッドフレームの前後に分割されたケース内に収納可能となっている。しかし、床板は、前後の端板、長手方向中央部で端板と平行に配置された中間板及びくの字に折れ曲がった左右の支持板のみで支持されている。つまり、端板、中間板及び支持板を構成する前後の屈曲板の隣接する端部同士が連結されているだけで、その他に互いを連結する連結材（補強材）を有していないため、床板の下側は、ほとんど中空で支えが少なく、使用者の体重による変形や破損が発生し易く、形状の安定性及び耐久性に欠けるという課題がある。
これに対し、特許文献２〜５では、床板（天板）を支持する脚部が、複数のシート（仕切り板）で格子状（井桁状）に形成されており、床板の変形を効果的に防止することができる。しかし、分解された状態で搬送されるため、設置場所において、複数のシートを、それぞれのシートに形成された切れ目（スリット）同士で噛合せ、格子状に配置して、床板を取り付けなければならず、組立に手間がかかるという課題がある。また、組立後は、簡単に分解することや折り畳むことが困難で、占有スペースを必要とし、設置場所が限定されるという課題もある。
本発明は、かかる事情に鑑みてなされたもので、折り畳み状態から、極めて短時間で設置することができ、簡素な構成でありながら形状安定性及び耐久性に優れると共に、使用時以外は、簡単に折り畳んで搬送及び収納を行うことができ、省スペース性、実用性及び機能性に優れ、主にベッドとして好適に用いることができる折り畳み台を提供することを目的とする。
【課題を解決するための手段】
【０００５】
前記目的に沿う本発明に係る折り畳み台は、段ボール製の折り畳み台であって、
それぞれが長方形状に形成された複数の第１の仕切り板と複数の第２の仕切り板が噛合わされて平面視して格子状に配置された脚部と、該脚部の上面を覆う四角形状の天板とを有し、前記各第１の仕切り板の長手方向の途中に、該各第１の仕切り板の高さ方向に沿って奇数箇所の垂直折り目が形成され、前記天板に、前記各垂直折り目の位置に対応して前記第２の仕切り板と平行に水平折り目が形成されており、非使用時に、前記天板は前記各水平折り目で折り曲げられ、前記各第１の仕切り板は前記各垂直折り目で折り曲げられて前記各第２の仕切り板と重合し、全体が扁平状に折り畳まれる。
【０００６】
本発明に係る折り畳み台において、前記垂直折り目及び前記水平折り目はそれぞれ、前記各第１の仕切り板及び前記天板を二分割するように１箇所ずつ配置され、前記天板は、前記第１の仕切り板の長手方向の両端位置で前記天板の両端辺からそれぞれ下方に延設されて前記各第１の仕切り板の長手方向の両端部に保持される一対の差込み片を有し、非使用時に、前記天板は正面視して逆Ｖ字状に折り曲げられ、前記各第１の仕切り板は平面視して逆Ｖ字状に折り曲げられることが好ましい。
【０００７】
本発明に係る折り畳み台において、前記垂直折り目及び前記水平折り目はそれぞれ、前記各第１の仕切り板及び前記天板を四分割するように３箇所ずつ配置され、前記天板は、前記第１の仕切り板の長手方向の両端位置で該天板の両端辺からそれぞれ下方に延設されて前記各第１の仕切り板の長手方向の両端部に保持される一対の差込み片を有し、非使用時に、前記天板は正面視してＭ字状に折り曲げられ、前記各第１の仕切り板は平面視してＭ字状に折り曲げられてもよい。
【０００８】
本発明に係る折り畳み台において、前記天板は、３箇所の前記水平折り目のうち、中央の前記水平折り目の位置で２つの部分天板に分割され、該分割位置で前記各部分天板の端辺からそれぞれ下方に延設されて前記各第１の仕切り板の長手方向の中央部に保持される中央差込み片を有することが好ましい。
【０００９】
本発明に係る折り畳み台において、下端側が前記各第１の仕切り板及び前記各第２の仕切り板に保持され、上端側が使用時の前記天板の上面より上方に突出して、前記脚部の外周の三方を囲うように平面視してコ字型に配置された仕切り壁を有し、該仕切り壁のうち、前記第１の仕切り板の長手方向と平行に配置される壁板には、前記垂直折り目の位置に対応して前記仕切り壁の高さ方向に沿う折り目が形成され、非使用時に、前記仕切り壁が前記脚部と連動して前記折り目で折り曲げられて、平面視して逆Ｖ字状又はＭ字状に折り畳まれることがさらに好ましい。
【００１０】
本発明に係る折り畳み台において、前記天板及び／又は前記仕切り壁に切り欠き状若しくは孔状の手掛け部が形成され、前記第２の仕切り板の長手方向の一側及び／又は他側に孔状の指掛け部が形成されてもよい。
【００１１】
本発明に係る折り畳み台において、使用時に、前記天板を前記脚部に固定する固定手段として、前記天板に、係止溝を有する係止片が折り曲げ可能に形成され、前記第２の仕切り板に、前記係止溝と噛合う切れ目が形成されてもよい。
【発明の効果】
【００１２】
本発明に係る折り畳み台は、複数の第１の仕切り板と複数の第２の仕切り板が格子状に配置された脚部で、天板全体を確実に支持し、天板の変形及び破損を効果的に防止することができる。また、部品の着脱を伴う組立作業及び分解作業が不要で、天板と脚部が連動して変形することにより、極めて短時間のうちに設置可能であると共に、必要に応じて形態をスムーズに変化させ、使用状態と非使用状態を切替えることができ、非使用時は、折り畳み台全体を扁平状に折り畳んで、簡単に持ち運びや収納を行うことができる。
【００１３】
本発明に係る折り畳み台において、垂直折り目及び水平折り目がそれぞれ、各第１の仕切り板及び天板を二分割するように１箇所ずつ配置され、天板が、第１の仕切り板の長手方向の両端位置で天板の両端辺からそれぞれ下方に延設されて各第１の仕切り板の長手方向の両端部に保持される一対の差込み片を有し、非使用時に、天板が正面視して逆Ｖ字状に折り曲げられ、各第１の仕切り板が平面視して逆Ｖ字状に折り曲げられる場合、天板を確実に脚部に固定し、脚部と天板の動作をスムーズに連動させることができる。
【００１４】
本発明に係る折り畳み台において、垂直折り目及び水平折り目がそれぞれ、各第１の仕切り板及び天板を四分割するように３箇所ずつ配置され、天板が、第１の仕切り板の長手方向の両端位置で天板の両端辺からそれぞれ下方に延設されて各第１の仕切り板の長手方向の両端部に保持される一対の差込み片を有し、非使用時に、天板が正面視してＭ字状に折り曲げられ、各第１の仕切り板が平面視してＭ字状に折り曲げられる場合、非使用時（折り畳み時）のサイズをコンパクト化することができ、搬送時及び収納時の省スペース性に優れる。
【００１５】
本発明に係る折り畳み台において、天板が、３箇所の水平折り目のうち、中央の水平折り目の位置で２つの部分天板に分割されて各第１の仕切り板の長手方向の中央部に保持される中央差込み片を有する場合、天板の要所を確実に固定して、天板の伸縮動作の安定性を向上させることができる。
【００１６】
本発明に係る折り畳み台において、下端側が各第１の仕切り板及び各第２の仕切り板に保持され、上端側が使用時の天板の上面より上方に突出して、脚部の外周の三方を囲うように平面視してコ字型に配置された仕切り壁を有し、仕切り壁のうち、第１の仕切り板の長手方向と平行に配置される壁板には、垂直折り目の位置に対応して仕切り壁の高さ方向に沿う折り目が形成され、非使用時に、仕切り壁が脚部と連動して折り目で折り曲げられて、平面視して逆Ｖ字状又はＭ字状に折り畳まれる場合、非使用時（折り畳み時）に、仕切り壁を取り外す必要がなく、使用時には、折り畳み台の周囲（三方）を仕切り壁で確実に遮蔽し、使用者のプライバシーを守ることができる。
【００１７】
本発明に係る折り畳み台において、天板及び／又は仕切り壁に手掛け部が形成され、第２の仕切り板の長手方向の一側及び／又は他側に指掛け部が形成されている場合、手掛け部を利用して折り畳み状態の折り畳み台を簡単に持ち運ぶことができると共に、折り畳み状態から使用状態に変形させる際に、指掛け部を指（手）で摘んで第２の仕切り板を水平方向に引っ張ることにより、垂直折り目で折り曲げられていた第１の仕切り板を平板状に戻して、脚部の形状を整えることができる。
【００１８】
本発明に係る折り畳み台において、使用時に、天板を脚部に固定する固定手段を有する場合、使用時の天板の浮き上がりを防止することができ、形態の安定性に優れる。また、固定手段を操作する際に、指掛け部を利用して第２の仕切り板を掴むことにより、作業性が向上する。
【図面の簡単な説明】
【００１９】
【図１】本発明の第１の実施の形態に係る折り畳み台の使用状態を示す斜視図である。
【図２】同折り畳み台の使用状態を示す正面図である。
【図３】同折り畳み台の使用状態を示す平面図である。
【図４】同折り畳み台の使用状態を示す側面図である。
【図５】同折り畳み台の折り畳み途中の状態を示す正面図である。
【図６】同折り畳み台の折り畳み途中の状態を示す平面図である。
【図７】同折り畳み台の折り畳み状態を示す側面図である。
【図８】（Ａ）〜（Ｃ）はそれぞれ同折り畳み台で用いられる第１の仕切り板の平面図、第２の仕切り板の平面図、天板の斜視図である。
【図９】（Ａ）、（Ｂ）はそれぞれ同折り畳み台で用いられる仕切り壁の各壁板の平面図である。
【図１０】本発明の第２の実施の形態に係る折り畳み台の使用状態を示す正面図である。
【図１１】同折り畳み台の使用状態を示す平面図である。
【図１２】同折り畳み台の使用状態を示す側面図である。
【図１３】同折り畳み台の折り畳み途中の状態を示す正面図である。
【図１４】同折り畳み台の折り畳み途中の状態を示す平面図である。
【図１５】同折り畳み台の折り畳み状態を示す側面図である。
【図１６】（Ａ）〜（Ｃ）はそれぞれ同折り畳み台で用いられる第１の仕切り板の平面図、第２の仕切り板の平面図、部分天板の斜視図である。
【図１７】同折り畳み台の変形例を示す斜視図である。
【発明を実施するための形態】
【００２０】
続いて、添付した図面を参照しつつ、本発明を具体化した実施の形態につき説明し、本発明の理解に供する。
図１〜図７に示す本発明の第１の実施の形態に係る折り畳み台１０は、段ボール製で、極めて短時間で設置することができ、使用時以外は扁平状に折り畳んで簡単に持ち運び及び収納を行うことができるものである。なお、図面上、各部材（段ボール）の端面に現れる詳細構造（表裏のライナー及び中芯）は省略する（以下、同じ）。
折り畳み台１０は、それぞれが長方形状に形成された複数の第１の仕切り板１１と複数の第２の仕切り板１２が噛合わされて平面視して格子状に配置された脚部１３（図３参照）と、脚部１３の上面を覆う四角形状の天板１４とを有している。本実施の形態では、折り畳み台１０をベッドとして使用する場合に荷重が加わり易い折り畳み台１０の長手方向中央部のみに、図１〜図３、図５、図６に示すように、２枚の第２の仕切り板１２を重ねて配置することにより補強したが、これに限定されるものではなく、必要に応じて、所望の場所を補強することができる。但し、第１、第２の仕切り板のそれぞれの厚さは、限定されるものではなく、厚さの同じ部材を重ねて配置する代わりに、必要に応じて厚さの異なる部材を組合せて所望の位置に配置してもよい。なお、本実施の形態では、図１〜図３に示すように、折り畳み台１０の長手方向中央部で、第２の仕切り板１２の配置間隔をその他の場所より狭くすることによっても強度を向上させているが、第１、第２の仕切り板の数及び配置間隔は、これに限定されるものではない。
また、折り畳み台１０は、下端側が、第１の仕切り板１１及び第２の仕切り板１２に保持され、上端側が、使用時の天板１４の上面より上方に突出して、脚部１３の外周の三方（ここでは、折り畳み台１０の長手方向の両側及び幅方向の一側）を囲うように平面視してコ字型に配置された仕切り壁１５を有している。この仕切り壁１５は、折り畳み台１０の長手方向の両側で第２の仕切り板１２と平行に配置される２枚の壁板１７、１８と、折り畳み台１０の幅方向の一側で第１の仕切り板１１と平行に配置される１枚の壁板１９とで構成されている。
【００２１】
以下、各部の詳細について説明する。
図８（Ａ）に示すように、第１の仕切り板１１の長手方向の途中に、第１の仕切り板１１の高さ方向に沿って１箇所の垂直折り目２１が形成されている。この垂直折り目２１は、第１の仕切り板１１を二分割するように、第１の仕切り板１１の長手方向の中央位置に配置されている。そして、第１の仕切り板１１の長手方向の途中に、第２の仕切り板１２の配置に合わせて所定の間隔で複数（ここでは７本）の切れ目２２が下端から上向きに形成され、第１の仕切り板１１の長手方向の両側に、壁板１７、１８の配置に合わせて２本の切れ目２３が上端から下向きに形成されている。また、図８（Ｂ）に示すように、第２の仕切り板１２の長手方向の途中に、第１の仕切り板１１の配置に合わせて所定の間隔で複数（ここでは４本）の切れ目２４が上端から下向きに形成され、第２の仕切り板１２の長手方向の一側に、壁板１９の配置に合わせて１本の切れ目２５が上端から下向きに形成されている。そして、壁板１７、１８の下端側には、図９（Ａ）に示すように、第２の仕切り板１２と同様に、第１の仕切り板１１の配置に合わせて所定の間隔で複数（ここでは４本）の切れ目２６が形成され、壁板１９の下端側には、図９（Ｂ）に示すように、第１の仕切り板１１と同様に、第２の仕切り板１２の配置に合わせて所定の間隔で複数（ここでは７本）の切れ目２７が形成されている。また、壁板１９には、垂直折り目２１の位置に対応して（壁板１９の幅方向の中央部に）仕切り壁１５（壁板１９）の高さ方向に沿う１箇所の折り目２９が形成されている。
【００２２】
複数の第１の仕切り板１１と複数の第２の仕切り板１２をそれぞれの切れ目２２と切れ目２４で噛合せることにより、格子状の脚部１３を簡単に製造することができる。また、壁板１７、１８の切れ目２６とそれぞれの第１の仕切り板１１の切れ目２３を噛合せ、壁板１９の切れ目２７とそれぞれの第２の仕切り板１２の切れ目２５を噛合せることにより、壁板１７〜１９を脚部１３に固定することができる。なお、図９（Ａ）、（Ｂ）に示すように、壁板１７、１８の幅方向の一側の上部に上向きの連結用切れ目３０を介して係合片３１が形成され、壁板１９の幅方向の両側の上部に下向きの連結用切れ目３２が形成されていることにより、連結用切れ目３０と連結用切れ目３２を噛合せて壁板１７、１８と壁板１９を平面視してコ字型に連結することができる。避難所等で折り畳み台１０をベッドとして使用する場合、仕切り壁１５で他人の視線を遮ることができ、使用者のプライバシーを守ることができる。本実施の形態では、分割された３枚の壁板１７〜１９で仕切り壁１５を形成したが、１枚の板材を平面視してコ字型に折り曲げて仕切り壁として使用することもできるし、仕切り壁の一部又は全部を省略することもできる。また、各壁板の高さは同一である必要はなく、異なっていてもよく、一部の壁板の上端側を内側（天板側）に折り曲げて庇を形成することもできる。なお、仕切り壁を構成する各壁板の上辺は、水平である必要はなく、例えば幅方向の一側から他側に傾斜させたり、幅方向の中央から両外側に下り勾配で（山型に）傾斜させたり、円弧状又は波型等に湾曲させたりしてもよい。
【００２３】
図１、図３、図５〜図８に示すように、天板１４に、第１の仕切り板１１の垂直折り目２１の位置に対応して第２の仕切り板１２と平行に水平折り目３４が形成されている。この水平折り目３４は、天板１４を二分割するように、天板１４の長手方向の中央位置に配置されている。また、図１、図２、図５に示すように、天板１４は、第１の仕切り板１１の長手方向の両端位置で天板１４の両端辺からそれぞれ下方に延設されて各第１の仕切り板１１の長手方向の両端部に保持される一対の差込み片３５、３６を有している。この差込み片３５、３６の下端部には、図８（Ｃ）に示すように、第１の仕切り板１１の配置に合わせて所定の間隔で複数（ここでは４本）の切れ目３７が形成されており、この切れ目３７をそれぞれの第１の仕切り板１１の切れ目２３に噛合せることにより、差込み片３５、３６を介して天板１４を脚部１３（第１の仕切り板１１）に保持することができる。なお、天板は、脚部と連動して折り畳み及び展開の動作を行うことができればよく、その取付方法は、本実施の形態に限定されるものではない。
【００２４】
以上のように構成された折り畳み台１０は、非使用時に、図５、図６に示すように、天板１４が水平折り目３４で（正面視して逆Ｖ字状に）折り曲げられると、各第１の仕切り板１１が各垂直折り目２１で（平面視して逆Ｖ字状に）折り曲げられて各第２の仕切り板１２と重合（図６参照）し、仕切り壁１５（壁板１９）が脚部１３と連動して折り目２９で折り曲げられて、平面視して逆Ｖ字状に折り畳まれることにより、図７に示すように、全体が扁平状に折り畳まれる。
使用時は、図７の折り畳まれた状態から、図５、図６に示すように、壁板１７、１８の間隔を広げると、第１、第２の仕切り板１１、１２（脚部１３）、天板１４及び仕切り壁１５（壁板１９）が連動して展開し、図１〜図４に示した使用状態となる。ここで、図１、図２、図６、図７、図８（Ｃ）に示すように、天板１４の長手方向の中央部で、幅方向の他側（壁板１９の取付け位置と反対側）に、天板１４を脚部１３に固定する固定手段として、下方に折り曲げ可能な係止片３８が形成されている。そして、この係止片３８には、天板１４（第１の仕切り板１１）の長手方向の中央部に配置された第２の仕切り板１２の位置に対応して、第２の仕切り板１２の長手方向と平行に係止溝３９が形成されている。従って、使用時に、図１、図２に示すように、係止片３８を下方に折り曲げ、対応する第２の仕切り板１２の長手方向の他端側の切れ目２４に、係止溝３９を噛合せることにより、脚部１３の上面に対して天板１４を平坦状に保持し、天板１４の浮き上がりを防止することができる。
【００２５】
なお、本実施の形態では、固定手段として、天板１４に１つだけ係止片３８を設けたが、その数は、限定されるものではない。また、複数の係止片を設ける場合は、各係止片を第２の仕切り板の位置に対応させて、適宜、配置することができ、その配置間隔は等間隔でも不等間隔でもよい。なお、固定手段は、折り畳み台の使用時に、天板を脚部に固定することができればよく、その形態は、限定されるものではない。
また、図８（Ｂ）に示すように、第２の仕切り板１２の長手方向の他側で切れ目２４の下方に丸孔状の指掛け部４１が形成されている。これにより、係止片３８の係止溝３９を切れ目２４に噛合せる際に、指掛け部４１に指を引っ掛ける（指掛け部４１を指で摘む）ようにして、第２の仕切り板１２を水平方向に引っ張ることができ、第２の仕切り板１２の上端側（切れ目２４の側方）が手で引っ張られることを防止して、第２の仕切り板１２が切れ目２４から破れる（引き裂かれる）ことを防ぐことができる。この指掛け部の形状及び大きさは、限定されるものではない。
【００２６】
本実施の形態のように、全ての第２の仕切り板１２に指掛け部４１を形成することにより、第２の仕切り板の形状を全て共通化することができ、量産性及び組立時の作業性を向上させることができるが、指掛け部を形成した第２の仕切り板と、指掛け部を省略した第２の仕切り板を用意しておき、係止片の数及び配置に対応させて、２種類の第２の仕切り板を使い分けることもできる。なお、指掛け部は省略してもよい。
また、脚部１３を折り畳み状態から使用状態に展開する際に、指掛け部４１を利用して所望の第２の仕切り板１２を水平方向に引っ張ることができ、作業性に優れる。この場合、指掛け部は、第２の仕切り板の長手方向の一側及び／又は両側に形成することができる。
なお、第１の仕切り板及び第２の仕切り板の寸法（長さと高さ）、並びに、平面視した折り畳み台の縦横の長さ及び縦横比を適宜、選択（変更）することにより、大人用のベッド以外にも、例えば子供用や乳幼児用のベッド、長椅子、座椅子、ベンチ等として使用することが可能である。
【００２７】
本実施の形態では、折り畳み台を縦方向（折り畳み台の長手方向）に押し潰す構造となっているが、第１の仕切り板の長さと第２の仕切り板の長さを逆転させて、折り畳み台を横方向（折り畳み台の幅方向）に押し潰す構造とすることもできる。
なお、本実施の形態では、図１、図３、図６、図７、図８（Ｃ）に示すように、天板１４の幅方向の一側に、水平折り目３４を挟んで対象に２つの切り欠き状の手掛け部４２を形成し、壁板１７、１８の幅方向の他側に、側面視して重なるように切り欠き状の手掛け部４３を１つずつ形成した。これにより、扁平状に折り畳んだ折り畳み台１０を、手掛け部４２、４３を利用して容易に持ち運ぶことができるが、手掛け部の形状、数及び配置は、本実施の形態に限られるものではない。
【００２８】
次に、図１０〜図１６を参照して、本発明の第２の実施の形態に係る折り畳み台４５について説明する。なお、第１の実施の形態と同様の構成については、同一の符号を付して説明を省略する。
折り畳み台４５が折り畳み台１０と異なる点は、脚部１３ａを構成する各第１の仕切り板４６（図１６（Ａ）参照）に６本の切れ目２２が形成され、各第２の仕切り板４７（図１６（Ｂ）参照）に４本の切れ目２４が形成されている点と、垂直折り目２１（図１６（Ａ）参照）及び水平折り目３４（図１１、図１３、図１４参照）が、各第１の仕切り板４６及び天板４８を四分割するように３箇所ずつ配置されていると共に、天板４８が、３箇所の水平折り目３４のうち、中央の水平折り目３４の位置で２つの部分天板４９、５０に分割されており、両端部の差込み片３５、３６に加え、分割位置で各部分天板４９、５０の端辺からそれぞれ下方に延設されて各第１の仕切り板４６の長手方向の中央部に保持される中央差込み片５１、５２を有し（図１０、図１３参照）、非使用時に、天板４８は正面視してＭ字状に折り曲げられ、各第１の仕切り板４６は平面視してＭ字状に折り曲げられる点（図１３、図１４参照）と、仕切り壁を備えていない点である。
【００２９】
なお、図１６（Ｃ）に示すように、中央差込み片５１（５２も同様）の下端部には、差込み片３５、３６と同様に、第１の仕切り板４６の配置に合わせて所定の間隔で複数（ここでは４本）の切れ目５３が形成されており、各第１の仕切り板４６の長手方向中央部には、中央差込み片５１、５２の配置に合わせて切れ目５４が上端から下向きに形成されている。これにより、中央差込み片５１、５２と各第１の仕切り板４６をそれぞれの切れ目５３と切れ目５４で噛合せて、天板４８の長手方向中央部を各第１の仕切り板４６に確実に保持することができ、脚部１３ａと天板４８の折り畳み時及び展開時の動作の連動性を高めることができる。部分天板４９、５０は、中央差込み片５１、５２で接合して一体化してもよいし、分割されたままでもよい。なお、本実施の形態では、天板の長手方向中央部を第１の仕切り板に折り曲げ可能に保持するための保持手段として、天板を２つの部分天板に分割して中央差込み片を形成したが、保持手段はこれに限定されるものではない。また、天板を２つの部分天板に分割せず、中央差込み片を省略して両端の差込み片のみで脚部（第１の仕切り板）に保持する構造としてもよい。
【００３０】
以上の構成により、図１５に示すように、折り畳み台４５の折り畳み時のサイズ（側面視の形状）を折り畳み台１０よりもコンパクト化して、搬送時及び収納時の省スペース性を向上させることができる。
なお、本実施の形態では、天板４８の３箇所の水平折り目３４のうち、天板４８（部分天板４９、５０）が山折となる２箇所の水平折り目３４の位置に合わせて、図１０、図１４に示すように、天板４８に２つの係止片３８を形成したが、係止片の数及び配置は、これに限定されない。
【００３１】
次に、折り畳み台の変形例について説明する。なお、第１、第２の実施の形態と同様のものは同じ符号を付して説明を省略する。
図１７に示す変形例の折り畳み台５５が折り畳み台４５と異なる点は、脚部１３ｂが第１の仕切り板４６と第２の仕切り板１２で構成され、仕切り壁５６を有している点である。そして、仕切り壁５６のうち、第１の仕切り板４６の長手方向と平行に配置される壁板５７には、垂直折り目２１（図１６参照）の位置に対応して仕切り壁５６の高さ方向に沿う３箇所の折り目２９が形成されている。これにより、非使用時に、天板４８が正面視してＭ字状に折り曲げられ、各第１の仕切り板４６が平面視してＭ字状に折り曲げられた際に、仕切り壁５６（壁板５７）が脚部１３ｂと連動して折り目２９で折り曲げられて、平面視してＭ字状に折り畳まれる（図示せず）。
なお、壁板５７には、折り曲げ片５８を折り曲げる（回動させる）ことにより開閉可能な２つの孔状の手掛け部５９を形成したが、手掛け部の形状、数及び配置は適宜、これに限定されない。
【００３２】
以上、本発明の実施の形態を説明したが、本発明は何ら上記した実施の形態に記載の構成に限定されるものではなく、特許請求の範囲に記載されている事項の範囲内で考えられるその他の実施の形態や変形例も含むものである。折り畳み台の各部材を形成するための段ボールの構造としては両面段ボールが好適に用いられるが、これに限定されるものではなく、必要に応じて、例えば一部又は全部に複両面段ボール（Ｗフルート）を用いてもよい。また、両面段ボールとしては、一般的なＡフルートに限らず、Ｂフルート、Ｃフルート又はその他を用いてもよいし、これらを２種以上組合せて用いてもよい。
なお、上記実施の形態では、第１の仕切り板の垂直折り目及び天板の水平折り目を１箇所ずつ又は３箇所ずつとしたが、これらが奇数箇所にあれば、第１の仕切り板及び天板を蛇腹状に折り曲げて折り畳み台全体を扁平状に折り畳むことができる。また、第１の仕切り板の垂直折り目の数と天板の水平折り目の数は、同一である必要はなく、例えば、第１の仕切り板が平面視して逆Ｖ字状に折り曲げられる時に、天板が正面視してＭ字状に折り曲げられてもよいし、第１の仕切り板が平面視してＭ字状に折り曲げられる時に、天板が正面視して逆Ｖ字状に折り曲げられてもよい。
【符号の説明】
【００３３】
１０：折り畳み台、１１：第１の仕切り板、１２：第２の仕切り板、１３、１３ａ、１３ｂ：脚部、１４：天板、１５：仕切り壁、１７〜１９：壁板、２１：垂直折り目、２２〜２７：切れ目、２９：折り目、３０：連結用切れ目、３１：係合片、３２：連結用切れ目、３４：水平折り目、３５、３６：差込み片、３７：切れ目、３８：係止片、３９：係止溝、４１：指掛け部、４２、４３手掛け部、４５：折り畳み台、４６：第１の仕切り板、４７：第２の仕切り板、４８：天板、４９、５０：部分天板、５１、５２：中央差込み片、５３、５４：切れ目、５５：折り畳み台、５６：仕切り壁、５７：壁板、５８：折り曲げ片、５９：手掛け部
【要約】
【課題】折り畳み状態から極めて短時間で設置でき、簡素な構成でありながら形状安定性と耐久性に優れ、使用時以外は簡単に折り畳んで搬送及び収納が可能で省スペース性、実用性及び機能性に優れ、ベッドとして好適な折り畳み台を提供する。
【解決手段】段ボール製の折り畳み台１０は、それぞれが長方形状の複数の第１、第２の仕切り板１１、１２が噛合わされて平面視して格子状に配置された脚部１３と、脚部１３の上面を覆う四角形状の天板１４とを有し、各第１の仕切り板１１の長手方向の途中に奇数箇所の垂直折り目２１が形成され、天板１４に、各垂直折り目２１の位置に対応して第２の仕切り板１２と平行に水平折り目３４が形成されており、非使用時に、天板１４が各水平折り目３４で折り曲げられると、各第１の仕切り板１１が各垂直折り目２１で折り曲げられて各第２の仕切り板１２と重合し、全体が扁平状に折り畳まれる。
【選択図】図１【図１】
0006941400.tif 000002
【図２】
0006941400.tif 000003
【図３】
0006941400.tif 000004
【図４】
0006941400.tif 000005
【図５】
0006941400.tif 000006
【図６】
0006941400.tif 000007
【図７】
0006941400.tif 000008
【図８】
0006941400.tif 000009
【図９】
0006941400.tif 000010
【図１０】
0006941400.tif 000011
【図１１】
0006941400.tif 000012
【図１２】
0006941400.tif 000013
【図１３】
0006941400.tif 000014
【図１４】
0006941400.tif 000015
【図１５】
0006941400.tif 000016
【図１６】
0006941400.tif 000017
【図１７】
0006941400.tif 000018